(57)【特許請求の範囲】
【請求項１】
扁平で且つ細長い形状を有するボディと、
前記ボディの長手方向の一端部近傍で且つその扁平面にほぼ垂直な入射光軸を有する対物面を前記扁平面の一方に覗かせて収納されてなり、被写体像を撮影するための撮影レンズと、
前記ボディにおける前記扁平面の他方の、前記撮影レンズの対物面の背面側に、前記長手方向の中間部に配設され、電子ファインダや操作情報の表示に用いる表示画面と、
前記ボディにおける前記表示画面が配設されている前記扁平面側の前記表示画面から他端部近傍にかけての範囲内で且つ前記扁平の幅方向についてのほぼ中央部に配設され、押操作により前記被写体像の撮影動作を行なわせるレリーズボタンと、
前記ボディにおける前記レリーズボタンが配設されている前記扁平面側の前記レリーズボタンから他端部近傍にかけての範囲内で且つ前記扁平の幅方向についてのほぼ中央部に配設され、各種モード設定のために用いる回転により操作される操作ダイヤルと、
を具備することを特徴とするカメラ。
【請求項２】
扁平で且つ細長い形状を有するボディと、
前記ボディの長手方向の一端部近傍にほぼ連続して配置され、その扁平面にほぼ垂直な入射光軸を有する対物面を該扁平面の一方に覗かせて被写体像を撮影するための撮影レンズを収納してなり、前記長手方向にほぼ直交し、且つ前記扁平面にほぼ平行な回動軸線に対して所定角度範囲回動可能に設けられた撮影レンズ部と、
前記ボディにおける前記扁平面の他方の、前記撮影レンズの対物面の背面側に、前記長手方向の一端部近傍から中間部にかけての範囲内で配設され、電子ファインダや操作情報の表示に用いる表示画面と、
前記ボディにおける前記表示画面が配設されている前記扁平面側の前記表示画面から他端部近傍にかけての範囲内で且つ前記扁平の幅方向についてのほぼ中央部に配設され、押操作により前記被写体像の撮影動作を行なわせるレリーズボタンと、
前記ボディにおける前記レリーズボタンが配設されている前記扁平面側の前記レリーズボタンから他端部近傍にかけての範囲内で且つ前記扁平の幅方向についてのほぼ中央部に配設され、各種モード設定のために用いる回転により操作される操作ダイヤルと、
を具備することを特徴とするカメラ。
【請求項３】
前記撮影レンズ部は、前記回動軸線を該撮影レンズ部のほぼ中央部を通るように位置させたことを特徴とする請求項２に記載のカメラ。
【請求項４】
前記撮影レンズ部は、前記回動軸線を該撮影レンズ部の前記ボディ側縁部に位置させたことを特徴とする請求項２に記載のカメラ。
【請求項５】
前記撮影レンズ部は、前記回動軸線に直交するさらなる回動軸線に対してさらに回動可能としたことを特徴とする請求項４に記載のカメラ。
【請求項６】
前記撮影レンズ部は、前記回動軸線を前記ボディの前記扁平面の一方側の縁部に位置させたことを特徴とする請求項５に記載のカメラ。
【請求項７】
前記撮影レンズ部は、前記回動軸線を前記ボディの前記扁平面の他方側の縁部に位置させたことを特徴とする請求項５に記載のカメラ。
【請求項８】
前記撮影レンズ部は、前記さらなる回動軸線を前記回動軸線上のほぼ中央部にて直交すべく配置したことを特徴とする請求項５〜７のうちのいずれか１項に記載のカメラ。
【請求項９】
扁平で且つ細長い形状を有するボディと、
前記ボディの長手方向の一端部近傍で且つその扁平面にほぼ垂直な入射光軸を有する対物面を前記扁平面の一方に覗かせて収納されてなり、被写体像を撮影するための撮影レンズと、
前記ボディにおける前記扁平面の他方の、前記撮影レンズの対物面の背面側に、前記長手方向の中間部に配設され、電子ファインダや操作情報の表示に用いる表示画面と、
前記ボディにおける前記表示画面が配設されている前記扁平面側の前記表示画面から他端部近傍にかけての範囲内で且つ前記扁平の幅方向についてのほぼ中央部に配設され、押操作により前記被写体像の撮影動作を行なわせるレリーズボタンと、
前記ボディにおける前記レリーズボタンが配設されている前記扁平面側の前記レリーズボタンから他端部近傍にかけての範囲内で且つ前記扁平の幅方向についてのほぼ中央部に配設され、各種モード設定のために用いる回転により操作される操作ダイヤルと、
を具備することを特徴とする携帯端末装置。
【請求項１０】
扁平で且つ細長い形状を有するボディと、
前記ボディの長手方向の一端部近傍にほぼ連続して配置され、その扁平面にほぼ垂直な入射光軸を有する対物面を該扁平面の一方に覗かせて被写体像を撮影するための撮影レンズを収納してなり、前記長手方向にほぼ直交し、且つ前記扁平面にほぼ平行な回動軸線に対して所定角度範囲回動可能に設けられた撮影レンズ部と、
前記ボディにおける前記扁平面の他方の、前記撮影レンズの対物面の背面側に、前記長手方向の一端部近傍から中間部にかけての範囲内で配設され、電子ファインダや操作情報の表示に用いる表示画面と、
前記ボディにおける前記表示画面が配設されている前記扁平面側の前記表示画面から他端部近傍にかけての範囲内で且つ前記扁平の幅方向についてのほぼ中央部に配設され、押操作により前記被写体像の撮影動作を行なわせるレリーズボタンと、
前記ボディにおける前記レリーズボタンが配設されている前記扁平面側の前記レリーズボタンから他端部近傍にかけての範囲内で且つ前記扁平の幅方向についてのほぼ中央部に配設され、各種モード設定のために用いる回転により操作される操作ダイヤルと、
を具備することを特徴とする携帯端末装置。
【請求項１１】
前記撮影レンズ部は、前記回動軸線を該撮影レンズ部のほぼ中央部を通るように位置させたことを特徴とする請求項１０に記載の携帯端末装置。
【請求項１２】
前記撮影レンズ部は、前記回動軸線を該撮影レンズ部の前記ボディ側縁部に位置させたことを特徴とする請求項１０に記載の携帯端末装置。
【請求項１３】
前記撮影レンズ部は、前記回動軸線に直交するさらなる回動軸線に対してさらに回動可能としたことを特徴とする請求項１２に記載の携帯端末装置。
【請求項１４】
前記撮影レンズ部は、前記回動軸線を前記ボディの前記扁平面の一方側の縁部に位置させたことを特徴とする請求項１３に記載の携帯端末装置。
【請求項１５】
前記撮影レンズ部は、前記回動軸線を前記ボディの前記扁平面の他方側の縁部に位置させたことを特徴とする請求項１３に記載の携帯端末装置。
【請求項１６】
前記撮影レンズ部は、前記さらなる回動軸線を前記回動軸線上のほぼ中央部にて直交すべく配置したことを特徴とする請求項１３〜１５のうちのいずれか１項に記載の携帯端末装置。
【発明の詳細な説明】
【０００１】
【発明の属する技術分野】
本発明は、カメラ等における機能要素の配置構成に係り、特に、電子カメラおよびその機能を組み込んだ携帯端末に好適なカメラおよび携帯端末装置に関するものである。
【０００２】
【従来の技術】
近年、ディジタルカメラ等と称され、被写体像を、例えばＣＣＤ（電荷結合素子）撮像素子等の固体撮像素子により撮像し、被写体の静止画像（スティル画像）または動画像（ムービー画像）の画像データを得て、フラッシュメモリ等を用いたＩＣ（集積回路）メモリ媒体またはフロッピーディスク等にディジタル的に記録するタイプの電子カメラが普及している。この種の電子カメラは、撮影後直ちに、内蔵の液晶ディスプレイ（ＬＣＤ）等で撮影内容を表示確認したり、パーソナルコンピュータ（ＰＣ）等により表示および加工編集したり、プリンタによりプリントしたりすることができる。このように、電子カメラは、銀塩フィルムを用いる在来のカメラ、すなわち銀塩カメラに比して、フィルム現像や印画紙への焼き付けなどの業者または熟練者による作業およびそのための設備が不要であるなどの簡便性に加え、画像処理による撮影結果の修正が容易であるなどという利点もある。
【０００３】
ところで、電子カメラは、在来の銀塩カメラに比して、機能構成のレイアウトの自由度が高いことから、より斬新なデザインや他の装置への組み込みが容易である。例えば、衣服のポケットやバッグへの収納に適する扁平で且つ細長い形状のボディにカメラの機能構成を収容することにより、携帯に便利なカメラを構成することができる。この種の電子カメラとして、例えば意匠登録第１０４２６７８号公報には、扁平で且つ細長い形状のボディに電子スチルカメラの機能および携帯電話機の機能を組み込んだものが記載されている。
上記意匠登録第１０４２６７８号公報に示された電子スチルカメラは、図１４および図１５に示すように、扁平で且つ細長い形状のボディ１０１の一端部にほぼ円盤状をなす撮影部１０２をボディ１０１の長手方向に直交する回動軸線を中心として回動自在に設けている。撮影部１０２は、その円盤状の直径方向に沿って回動軸線が配置され、該円盤状の一側面に前記回動軸線とほぼ直交する方向に入射光軸を向けて撮影レンズ１０２ａを収容している。また、撮影部１０２の円盤状の一方の面には、携帯電話として使用する際の受話用のスピーカ等を内蔵した受話口１０２ｂが設けられている。扁平形状のボディ１０１の一方の面には、撮影画像や種々の操作情報を表示するための液晶ディスプレイ１０３および携帯電話として使用する際のダイヤルボタンを含む操作部１０４が配置されている。
また、扁平形状のボディ１０１の長手方向に沿う側面には、電子カメラとしての撮影操作用のレリーズボタン１０５が設けられている。さらに、ボディ１０１の他端部の縁部を回動軸とするヒンジ機構により開閉回動可能として、ダイヤルボタンを含む操作部１０４を覆うフラップカバー１０６が設けられている。ボディ１０１における該フラップカバー１０６に対する前記ヒンジ機構近傍には、携帯電話として使用する際の送話用のマイクロフォン等を内蔵した送話口１０７が設けられている。
図１４は、携帯電話として使用する際の代表的な状態、すなわち撮影レンズ１０２ａを内方すなわちボディ１０１側に向けて撮影部１０２を収納状態とし、且つフラップカバー１０６を開いた状態を示している。また、図１５は、電子カメラとして使用する際の状態、すなわち撮影部１０２を、図１４のような、収納状態から９０°回動させ、扁平なボディ１０１に対して垂直方向に撮影レンズ１０２ａの入射光軸が位置するようにした対面撮影状態とし、且つフラップカバー１０６を閉じた状態を示している。この状態から、撮影部１０２を、１８０°回動させた状態、即ち、液晶ディスプレイ１０３とは反対側に撮影部１０２を向けた状態が、一般的な撮影状態である。
【０００４】
【発明が解決しようとする課題】
ところで、図１４および図１５に示すような、扁平で且つ細長い形状をなす電子カメラは、レリーズボタン１０５が扁平なボディ１０１の長手方向に沿う側面に設けられている。このように、扁平なボディ１０１の長手方向に沿う側面にレリーズボタン１０５が設けられていると、撮影時にレリーズボタンが操作し易いような、構え方および向き等が限定され、平均的には撮影時にレリーズボタンが操作しにくいことが多い。また、このようにレリーズボタン１０５が扁平で且つ細長い形状の長手方向に沿う側面に設けられていると、撮影部１０２がどの回動位置にあろうと、レリーズボタン１０５の押操作方向が、常に撮影レンズ１０２ａの入射光軸に直交する方向となる。このため、撮影時にレリーズボタン１０５の操作による手ぶれが生じ易いという問題があった。このように、電子カメラの形状を、扁平で且つ細長い形状とした場合、携帯に際しての利点は多くなるものの、撮影時に手ぶれが生じ易いという弊害がある。特に、図１４および図１５に示したように、扁平で且つ細長い形状の電子カメラを縦長に構えたときに、正位置すなわち横長画面で撮影できるように構成した場合に、細長い形状と把持状態との相互関係により、一層手ぶれが生じ易くなる傾向がある。
【０００５】
本発明は、上述した事情に鑑みてなされたもので、携帯に適し且つ操作ダイヤルおよびレリーズの操作が容易で撮影時に手ぶれが生じにくいカメラおよび携帯端末装置を提供することを目的としている。
本発明の請求項１の目的は、携帯時に 嵩張らず、衣服のポケットやバッグ等への収納性が良くてしかも撮影時の構え方および向き等にかかわらず、把持性に優れ、特に操作ダイヤルとレリーズの操作が容易で手ぶれが生じにくく、且つ電子ファインダ使用時の撮影操作が容易なカメラを提供することにある。
本発明の請求項２の目的は、携帯時に嵩張らず、衣服のポケットやバッグ等への収納性が良くてしかも撮影時の構え方および向き等にかかわらず、操作ダイヤルとレリーズの操作が容易で、電子ファインダ使用時の撮影操作が容易で、特に、撮影方向の柔軟性および把持性に優れ、撮影操作が容易なカメラを提供することにある。
本発明の請求項３の目的は、特に、撮影時に 嵩張らず、撮影操作が容易なカメラを提供することにある。
本発明の請求項４の目的は、特に、撮影方向の柔軟性を向上し、撮影操作が容易なカメラを提供することにある。
【０００６】
本発明の請求項５の目的は、特に、撮影方向の柔軟性にさらに優れ、撮影操作が容易なカメラを提供することにある。
本発明の請求項６の目的は、特に、撮影方向の柔軟性を一部について向上し、撮影方向の変更操作および撮影操作が容易なカメラを提供することにある。
本発明の請求項７の目的は、特に、撮影方向の柔軟性を他の一部について向上し、撮影方向の変更操作および撮影操作が容易なカメラを提供することにある。
本発明の請求項８の目的は、特に、撮影方向の柔軟性をさらに向上し、撮影方向の変更操作および撮影操作が容易なカメラを提供することにある。
本発明の請求項９の目的は、特に、携帯時に 嵩張らず、衣服のポケットやバッグ等への収納性が良くてしかもカメラ撮影時の構え方および向き等にかかわらず、把持性に優れ、特に操作ダイヤルとレリーズの操作が容易で手ぶれが生じにくく、且つ電子ファインダ使用時の撮影操作が容易なカメラ機能を有する携帯端末装置を提供することにある。
【０００７】
本発明の請求項１０の目的は、携帯時に嵩張らず、衣服のポケットやバッグ等への収納性が良くてしかも撮影時の構え方および向き等にかかわらず、操作ダイヤルとレリーズの操作が容易で、電子ファインダ使用時の撮影操作が容易で、特に、撮影方向の柔軟性および把持性に優れ、撮影操作が容易な携帯端末装置を提供することにある。
本発明の請求項１１の目的は、特に、撮影時に 嵩張らず、撮影操作が容易な携帯端末装置を提供することにある。
本発明の請求項１２の目的は、特に、撮影方向の柔軟性を向上し、撮影操作が容易な携帯端末装置を提供することにある。
本発明の請求項１３の目的は、特に、撮影方向の柔軟性にさらに優れ、撮影操作が容易な携帯端末装置を提供することにある。
本発明の請求項１４の目的は、特に、撮影方向の柔軟性を一部について向上し、撮影方向の変更操作および撮影操作が容易な携帯端末装置を提供することにある。
【０００８】
本発明の請求項１５の目的は、特に、撮影方向の柔軟性を他の一部について向上し、撮影方向の変更操作および撮影操作が容易な携帯端末装置を提供することにある。
本発明の請求項１６の目的は、特に、撮影方向の柔軟性をさらに向上し、撮影方向の変更操作および撮影操作が容易な携帯端末装置を提供することにある。
【０００９】
【課題を解決するための手段】
請求項１に記載した本発明に係るカメラは、上述した目的を達成するために、
扁平で且つ細長い形状を有するボディと、
前記ボディの長手方向の一端部近傍で且つその扁平面にほぼ垂直な入射光軸を有する対物面を前記扁平面の一方に覗かせて収納されてなり、被写体像を撮影するための撮影レンズと、
前記ボディにおける前記扁平面の他方の、前記撮影レンズの対物面の背面側に、前記長手方向の中間部に配設され、電子ファインダや操作情報の表示に用いる表示画面と、
前記ボディにおける前記表示画面が配設されている前記扁平面側の前記表示画面から他端部近傍にかけての範囲内で且つ前記扁平の幅方向についてのほぼ中央部に配設され、押操作により前記被写体像の撮影動作を行なわせるレリーズボタンと、
前記ボディにおける前記レリーズボタンが配設されている前記扁平面側の前記レリーズボタンから他端部近傍にかけての範囲内で且つ前記扁平の幅方向についてのほぼ中央部に配設され、各種モード設定のために用いる回転により操作される操作ダイヤルと、
を具備することを特徴としている。
【００１０】
請求項２に記載した本発明に係るカメラは、上述した目的を達成するために、
扁平で且つ細長い形状を有するボディと、
前記ボディの長手方向の一端部近傍にほぼ連続して配置され、その扁平面にほぼ垂直な入射光軸を有する対物面を該扁平面の一方に覗かせて被写体像を撮影するための撮影レンズを収納してなり、前記長手方向にほぼ直交し、且つ前記扁平面にほぼ平行な回動軸線に対して所定角度範囲回動可能に設けられた撮影レンズ部と、
前記ボディにおける前記扁平面の他方の、前記撮影レンズの対物面の背面側に、前記長手方向の一端部近傍から中間部にかけての範囲内で配設され、電子ファインダや操作情報の表示に用いる表示画面と、
前記ボディにおける前記表示画面が配設されている前記扁平面側の前記表示画面から他端部近傍にかけての範囲内で且つ前記扁平の幅方向についてのほぼ中央部に配設され、押操作により前記被写体像の撮影動作を行なわせるレリーズボタンと、
前記ボディにおける前記レリーズボタンが配設されている前記扁平面側の前記レリーズボタンから他端部近傍にかけての範囲内で且つ前記扁平の幅方向についてのほぼ中央部に配設され、各種モード設定のために用いる回転により操作される操作ダイヤルと、
を具備することを特徴としている。
請求項３に記載した本発明に係るカメラの前記撮影レンズ部は、前記回動軸線を該撮影レンズ部のほぼ中央部を通るように位置させたことを特徴としている。
請求項４に記載した本発明に係るカメラの前記撮影レンズ部は、前記回動軸線を該撮影レンズ部の前記ボディ側縁部に位置させたことを特徴としている。
【００１１】
請求項５に記載した本発明に係るカメラの前記撮影レンズ部は、前記回動軸線に直交するさらなる回動軸線に対してさらに回動可能としたことを特徴としている。
請求項６に記載した本発明に係るカメラの前記撮影レンズ部は、前記回動軸線を前記ボディの前記扁平面の一方側の縁部に位置させたことを特徴としている。
請求項７に記載した本発明に係るカメラの前記撮影レンズ部は、前記回動軸線を前記ボディの前記扁平面の他方側の縁部に位置させたことを特徴としている。
請求項８に記載した本発明に係るカメラの前記撮影レンズ部は、前記さらなる回動軸線を前記回動軸線上のほぼ中央部にて直交すべく配置したことを特徴としている。
【００１２】
請求項９に記載した本発明に係る携帯端末装置は、上述した目的を達成するために、
扁平で且つ細長い形状を有するボディと、
前記ボディの長手方向の一端部近傍で且つその扁平面にほぼ垂直な入射光軸を有する対物面を前記扁平面の一方に覗かせて収納されてなり、被写体像を撮影するための撮影レンズと、
前記ボディにおける前記扁平面の他方の、前記撮影レンズの対物面の背面側に、前記長手方向の中間部に配設され、電子ファインダや操作情報の表示に用いる表示画面と、
前記ボディにおける前記表示画面が配設されている前記扁平面側の前記表示画面から他端部近傍にかけての範囲内で且つ前記扁平の幅方向についてのほぼ中央部に配設され、押操作により前記被写体像の撮影動作を行なわせるレリーズボタンと、
前記ボディにおける前記レリーズボタンが配設されている前記扁平面側の前記レリーズボタンから他端部近傍にかけての範囲内で且つ前記扁平の幅方向についてのほぼ中央部に配設され、各種モード設定のために用いる回転により操作される操作ダイヤルと、
を具備することを特徴としている。
【００１３】
請求項１０に記載した本発明に係る携帯端末装置は、上述した目的を達成するために、
扁平で且つ細長い形状を有するボディと、
前記ボディの長手方向の一端部近傍にほぼ連続して配置され、その扁平面にほぼ垂直な入射光軸を有する対物面を該扁平面の一方に覗かせて被写体像を撮影するための撮影レンズを収納してなり、前記長手方向にほぼ直交し、且つ前記扁平面にほぼ平行な回動軸線に対して所定角度範囲回動可能に設けられた撮影レンズ部と、
前記ボディにおける前記扁平面の他方の、前記撮影レンズの対物面の背面側に、前記長手方向の一端部近傍から中間部にかけての範囲内で配設され、電子ファインダや操作情報の表示に用いる表示画面と、
前記ボディにおける前記表示画面が配設されている前記扁平面側の前記表示画面から他端部近傍にかけての範囲内で且つ前記扁平の幅方向についてのほぼ中央部に配設され、押操作により前記被写体像の撮影動作を行なわせるレリーズボタンと、
前記ボディにおける前記レリーズボタンが配設されている前記扁平面側の前記レリーズボタンから他端部近傍にかけての範囲内で且つ前記扁平の幅方向についてのほぼ中央部に配設され、各種モード設定のために用いる回転により操作される操作ダイヤルと、
を具備することを特徴としている。
請求項１１に記載した本発明に係る携帯端末装置の前記撮影レンズ部は、前記回動軸線を該撮影レンズ部のほぼ中央部を通るように位置させたことを特徴としている。
【００１４】
請求項１２に記載した本発明に係る携帯端末装置の前記撮影レンズ部は、前記回動軸線を該撮影レンズ部の前記ボディ側縁部に位置させたことを特徴としている。
請求項１３に記載した本発明に係る携帯端末装置の前記撮影レンズ部は、前記回動軸線に直交するさらなる回動軸線に対してさらに回動可能としたことを特徴としている。
請求項１４に記載した本発明に係る携帯端末装置の前記撮影レンズ部は、前記回動軸線を前記ボディの前記扁平面の一方側の縁部に位置させたことを特徴としている。
請求項１５に記載した本発明に係る携帯端末装置の前記撮影レンズ部は、前記回動軸線を前記ボディの前記扁平面の他方側の縁部に位置させたことを特徴としている。
【００１５】
請求項１６に記載した本発明に係る携帯端末装置の前記撮影レンズ部は、前記さらなる回動軸線を前記回動軸線上のほぼ中央部にて直交すべく配置したことを特徴としている。
【００１６】
【作用】
すなわち、本発明によるカメラは、扁平で且つ細長い形状を有するボディの長手方向の一端部近傍で且つその扁平面にほぼ垂直な入射光軸を有する対物面を前記扁平面の一方に覗かせて、被写体像を撮影するための撮影レンズを収納し、前記ボディの前記扁平面の他方の前記長手方向の中間部から他端部近傍にかけての範囲内で且つ前記扁平の幅方向についてのほぼ中央部に、押操作により前記被写体像の撮影動作を行なわせるレリーズボタンを配設している。
このような構成により、携帯に適し且つレリーズ操作が容易で、特に、携帯時に嵩張らず、衣服のポケットやバッグ等への収納性が良くて、しかも撮影時の構え方および向き等にかかわらず、手ぶれが生じにくくなる。
また、本発明によるカメラは、前記ボディにおける前記扁平面の他方の、前記撮影レンズの対物面の背面側に、前記長手方向の中間部に電子ファインダ用の表示画面を設けている。
このような構成により、特に、電子ファインダ使用時の撮影操作が容易となる。
【００１７】
また、本発明によるカメラは、扁平で且つ細長い形状を有するボディの長手方向の一端部近傍にほぼ連続して、前記長手方向にほぼ直交し且つその扁平面にほぼ平行な回動軸線に対して所定角度範囲回動可能に撮影レンズ部を設け、該撮影レンズ部は、前記扁平面にほぼ垂直な入射光軸を有する対物面を該扁平面の一方に覗かせて被写体像を撮影するための撮影レンズを収納してなり、前記ボディの前記扁平面の他方の前記長手方向の中間部から他端部近傍にかけての範囲内で且つ前記扁平の幅方向についてのほぼ中央部に、押操作により前記被写体像の撮影動作を行なわせるレリーズボタンを配設している。
このような構成により、特に、撮影方向の柔軟性および把持性に優れ、撮影操作が容易となる。
また、本発明によるカメラの前記撮影レンズ部は、前記回動軸線を該撮影レンズ部のほぼ中央部を通るように位置させている。
このような構成により、特に、撮影時に 嵩張らず、撮影操作が容易となる。
【００１８】
また、本発明によるカメラの前記撮影レンズ部は、前記回動軸線を該撮影レンズ部の前記ボディ側縁部に位置させている。
このような構成により、特に、撮影方向の柔軟性が向上し、撮影操作が容易となる。
また、本発明によるカメラの前記撮影レンズ部は、前記回動軸線に直交するさらなる回動軸線に対してさらに回動可能としている。
このような構成により、特に、撮影方向の柔軟性にさらに優れ、撮影操作が容易となる。
また、本発明によるカメラの前記撮影レンズ部は、前記回動軸線を前記ボディの前記扁平面の一方側の縁部に位置させている。
このような構成により、特に、撮影方向の柔軟性が一部について向上し、撮影方向の変更操作および撮影操作が容易となる。
【００１９】
また、本発明によるカメラの前記撮影レンズ部は、前記回動軸線を前記ボディの前記扁平面の他方側の縁部に位置させている。
このような構成により、特に、撮影方向の柔軟性が他の一部について向上し、撮影方向の変更操作および撮影操作が容易となる。
また、本発明によるカメラの前記撮影レンズ部は、前記さらなる回動軸線を前記回動軸線上のほぼ中央部にて直交すべく配置している。
このような構成により、特に、撮影方向の柔軟性がさらに向上し、撮影方向の変更操作および撮影操作が容易となる。
また、本発明によるカメラは、前記ボディにおける前記扁平面の他方に電子ファインダ用の表示画面を設けている。
このような構成により、特に、電子ファインダを見ながらの撮影操作が容易となる。
また、本発明によるカメラは、前記撮影レンズ部における前記撮影レンズの対物面の背面側に電子ファインダ用の表示画面を設けている。
このような構成により、特に、把持部および操作部を広くとることができ、操作性を向上することができる。
【００２０】
また、本発明による携帯端末装置は、扁平で且つ細長い形状を有するボディの長手方向の一端部近傍で且つその扁平面にほぼ垂直な入射光軸を有する対物面を前記扁平面の一方に覗かせて、被写体像を撮影するための撮影レンズを収納し、前記ボディの前記扁平面の他方の前記長手方向の中間部から他端部近傍にかけての範囲内で且つ前記扁平の幅方向についてのほぼ中央部に、押操作により前記被写体像の撮影動作を行なわせるレリーズボタンを配設している。
このような構成により、携帯に適し且つカメラ機能におけるレリーズ操作が容易で、特に、携帯時に嵩張らず、衣服のポケットやバッグ等への収納性が良くて、しかもカメラ撮影時の構え方および向き等にかかわらず、手ぶれが生じにくくなる。
また、本発明による携帯端末装置は、前記ボディにおける前記扁平面の他方の、前記撮影レンズの対物面の背面側で、前記長手方向の中間部に電子ファインダ用の表示画面を設けている。
このような構成により、特に、電子ファインダ使用時の撮影操作が容易となる。
【００２１】
また、本発明による携帯端末装置は、扁平で且つ細長い形状を有するボディの長手方向の一端部近傍にほぼ連続して、前記長手方向にほぼ直交し且つその扁平面にほぼ平行な回動軸線に対して所定角度範囲回動可能に撮影レンズ部を設け、該撮影レンズ部は、前記扁平面にほぼ垂直な入射光軸を有する対物面を該扁平面の一方に覗かせて被写体像を撮影するための撮影レンズを収納してなり、前記ボディの前記扁平面の他方の前記長手方向の中間部から他端部近傍にかけての範囲内で且つ前記扁平の幅方向についてのほぼ中央部に、押操作により前記被写体像の撮影動作を行なわせるレリーズボタンを配設している。
このような構成により、特に、撮影方向の柔軟性および把持性に優れ、カメラ撮影操作が容易となる。
また、本発明による携帯端末装置は、前記撮影レンズ部が、前記回動軸線を該撮影レンズ部のほぼ中央部を通るように位置させている。
このような構成により、特に、撮影時に 嵩張らず、撮影操作が容易となる。
また、本発明による携帯端末装置の前記撮影レンズ部は、前記回動軸線を該撮影レンズ部の前記ボディ側縁部に位置させている。
このような構成により、特に、撮影方向の柔軟性が向上し、撮影操作が容易となる。
【００２２】
また、本発明による携帯端末装置の前記撮影レンズ部は、前記回動軸線に直交するさらなる回動軸線に対してさらに回動可能としている。
このような構成により、特に、撮影方向の柔軟性にさらに優れ、撮影操作が容易となる。
また、本発明による携帯端末装置の前記撮影レンズ部は、前記回動軸線を前記ボディの前記扁平面の一方側の縁部に位置させている。
このような構成により、特に、撮影方向の柔軟性が一部について向上し、撮影方向の変更操作および撮影操作が容易となる。
また、本発明による携帯端末装置の前記撮影レンズ部は、前記回動軸線を前記ボディの前記扁平面の他方側の縁部に位置させている。
このような構成により、特に、撮影方向の柔軟性が他の一部について向上し、撮影方向の変更操作および撮影操作が容易となる。
また、本発明による携帯端末装置の前記撮影レンズ部は、前記さらなる回動軸線を前記回動軸線上のほぼ中央部にて直交すべく配置している。
このような構成により、特に、撮影方向の柔軟性がさらに向上し、撮影方向の変更操作および撮影操作が容易となる。
【００２３】
また、本発明による携帯端末装置は、前記ボディにおける前記扁平面の他方に電子ファインダ用の表示画面を設けている。
このような構成により、特に、電子ファインダを見ながらの撮影操作が容易となる。
また、本発明による携帯端末装置は、前記撮影レンズ部における前記撮影レンズの対物面の背面側に電子ファインダ用の表示画面を設けている。
このような構成により、特に、把持部および操作部を広くとることができ、操作性を向上することができる。
【００２４】
【発明の実施の形態】
以下、本発明の実施の形態に基づき、図面を参照して本発明のカメラを詳細に説明する。
図１は、本発明の第１の実施の形態に係るカメラの構成を示している。図１において、（ａ）は撮影レンズの対物面側から見たカメラの正面図、（ｂ）は該カメラの左側面図、そして（ｃ）は該カメラの背面図である。
図１に示すカメラは、音声等も記録可能な電子カメラとして構成されており、ボディ１、撮影レンズ２、液晶ディスプレイ（ＬＣＤ）３、操作ダイヤル４、レリーズボタン５、操作ボタン６、ストロボ発光部７、電源スイッチ８およびマイクロフォン９を具備している。
ボディ１は、扁平で且つ細長い形状の直方体をなし、各縁部および角部を曲面としている。このボディ１に、各構成要素が組み込まれあるいは収納されている。被写体を撮影するための撮影レンズ２は、ボディ１の長手方向についての一端部（図１においては上端部）に収納され、ボディ１の扁平状の一方の面すなわち一方の扁平面（図１（ａ）における正面）、に対物入射面を覗かせている。液晶ディスプレイ（ＬＣＤ）３は、ボディ１の背面、すなわち他方の扁平面の長手方向についての中間部に表示画面を配置しており、撮影後の画像、各種操作情報、および各種状態情報等を表示する。
【００２５】
この液晶ディスプレイ３は、さらに、撮影操作中に、撮影視野の画像を表示して電子ファインダとして使用したり、撮影直後に撮影された画像を確認のために所定時間表示させたりするためにも用いる。操作ダイヤル４は、この場合、ボディ１の前記他方の扁平面の長手方向についての他端部に設けられ、各種モード設定等のために用いる。
撮影操作のためのレリーズボタン５は、ボディ１の前記他方の扁平面の長手方向についての中間部近傍から他端部にかけての間の適宜個所で、且つボディ１の短手方向、すなわち幅方向、についてのほぼ中央部またはその近傍に設けられる。図１の場合、レリーズボタン５は、液晶ディスプレイ３と操作ダイヤル４との中間で且つ幅方向のほぼ中央に配置されている。このレリーズボタン５は、２段動作とし、１段目の操作で、オートフォーカス動作、つまり被写体距離の測距を行ない、２段目の操作で、被写体画像の撮影を行なうようにしてもよい。
操作ボタン６は、複数のボタン６ａ〜６ｊからなり、このカメラの撮影操作、画像鑑賞、その他のための各種操作に用いる。ストロボ発光部７は、被写体光量が不足する際などに被写体を照射するためのもので、ボディ１の前記一方の扁平面の撮影レンズ２の対物入射面の近傍に設けられている。
【００２６】
電源スイッチ８は、このカメラの動作電源をオン／オフ操作するためのものであり、ボディ１の長手方向に沿う一側面に設けられている。マイクロフォン９は、被写体画像でなく音声を記録する場合における音声の集音に用いる。
図１のカメラは、ボディ１の長手方向をほぼ鉛直として撮影する際には、片手でボディ１の下端部近傍を側方から把持し、親指にてレリーズボタン５を押操作する。この撮影時には、通常の場合、電子ファインダとして液晶ディスプレイ３を見ながら撮影操作を行なう。このレリーズボタン５の操作方向は、把持した向きに対して前後方向であり、しかも撮影レンズ２の入射光軸に平行な方向であるので、把持が安定し、押操作時の手ぶれが生じにくい。また、図１のカメラのボディ１の長手方向をほぼ水平として撮影する際には、片手でボディ１の下端部近傍を下端側から把持し、親指にてレリーズボタン５を押操作する。このとき、他方の手にて、ボディ１の上端部を支えるようにすることが望ましい。この撮影時にも、通常の場合、電子ファインダとして液晶ディスプレイ３を見ながら撮影操作を行なう。このようにしても、レリーズボタン５の操作方向は、把持した向きに対して前後方向であり、しかも撮影レンズ２の入射光軸に平行な方向であるので、把持が安定し、押操作時の手ぶれが生じにくい。
【００２７】
図２および図３は、本発明の第２の実施の形態に係るカメラの構成を示している。図２は、カメラを正面、つまり被写体側から見た斜視図であり、図３は、その背面から見た斜視図である。
図２および図３に示すカメラは、ボディ１１、撮影レンズユニット１２、液晶ディスプレイ１３、操作ダイヤル１４、レリーズボタン１５、操作ボタン１６およびストロボ発光部１７を備えている。液晶ディスプレイ１３、操作ダイヤル１４、レリーズボタン１５および操作ボタン１６については、図１の液晶ディスプレイ３、操作ダイヤル４、レリーズボタン５および操作ボタン６とおおむね同様の構成を有している。
ボディ１１は、扁平で且つ細長い形状の直方体をなし、各縁部および角部を曲面としている。このボディ１１に、各構成要素が組み込まれあるいは収納されている。さらに、ボディ１１は、長手方向についての一端部に幅方向の両側面部を延長して相対峙する門型の一対の支持凸部１１ａおよび１１ｂを突設している。
【００２８】
撮影レンズ部としての撮影レンズユニット１２は、直方体形状をなし、前記支持凸部１１ａおよび１１ｂにより回動自在に支持されている。撮影レンズユニット１２の回動軸線は、ボディ１１の長手方向に直交し、撮影レンズユニット１２、支持凸部１１ａおよび１１ｂのほぼ中央部を貫通するように配置される。なお、撮影レンズユニット１２は、図示していない回動支持機構により、基本的には、支持凸部１１ａおよび１１ｂの両者により撮影レンズユニット１２の両側において回動可能に支持されるが、支持凸部１１ａおよび１１ｂのいずれか一方により、いわゆる片持ちで回動支持させるようにしても良い。撮影レンズユニット１２は、両面が、図２に示す収納状態において、ボディ１１の両扁平面の延長上に位置し、且つ支持凸部１１ａおよび１１ｂの対峙する空間内にほぼぴったりと収納され、ボディ１１および撮影レンズユニット１２が全体として、扁平で且つ細長い形状の直方体状を呈するように形成されている。また、図３は、撮影レンズユニット１２を適宜角度回動させた標準的な撮影状態を示している。撮影レンズユニット１２は、被写体を撮影するための撮影レンズ１２ａを収納し、ボディ１１の一方の扁平面、に対応する撮影レンズユニット１２の一方の面に対物入射面を覗かせている。
【００２９】
液晶ディスプレイ１３は、ボディ１１の他方の扁平面の長手方向についての中間部に表示画面を配置しており、撮影中の画像、撮影後の画像、各種操作情報、および各種状態情報等を表示する。操作ダイヤル１４は、この場合、ボディ１１の前記他方の扁平面の長手方向についての他端部に設けられ、各種モード設定等のために用いる。撮影操作のためのレリーズボタン１５は、ボディ１１の前記他方の扁平面の長手方向についての中間部近傍から他端部にかけての間の適宜個所で、且つボディ１１の幅方向についてのほぼ中央部またはその近傍に設けられる。図３の場合、レリーズボタン１５は、液晶ディスプレイ１３と操作ダイヤル１４との中間で且つ幅方向のほぼ中央に配置されている。このレリーズボタン１５も、２段動作とし、１段目の操作で、測光動作およびオートフォーカス動作、つまり被写体距離の測距を行ない、２段目の操作で、被写体画像の撮影を行なうようにしてもよい。
【００３０】
操作ボタン１６は、複数のボタンからなり、このカメラの撮影操作、画像鑑賞、その他のための各種操作に用いる。ストロボ発光部１７は、被写体光量が不足する際などに被写体を照射するためのもので、撮影レンズユニット１２の撮影レンズ１２ａの対物入射面の近傍、この場合上端側、に設けられている。
図２のカメラは、ボディ１１の長手方向を縦に向けて撮影する際には、撮影レンズユニット１２を図２のように収納状態のまま、または図３のように適宜角度回動させて斜めに向け、片手でボディ１１の下端部近傍を側方から把持し、親指にてレリーズボタン１５を押操作する。このレリーズボタン１５の操作方向は、把持した向きに対して前後方向であり、しかも撮影レンズ１２ａの入射光軸に平行または斜め方向であるので、把持が安定し、押操作時の手ぶれが生じにくい。また、図２のカメラのボディ１１の長手方向をほぼ水平として撮影する際には、撮影レンズユニット１２を収納状態としたまま、片手でボディ１１の下端部近傍を下端側から把持し、親指にてレリーズボタン１５を押操作する。このとき、他方の手にて、ボディ１１の上端部を支えるようにすることが望ましい。
【００３１】
これらの撮影時には、通常の場合、電子ファインダとして液晶ディスプレイ１３を見ながら撮影操作を行なう。このようにしても、レリーズボタン１５の操作方向は、把持した向きに対して前後方向であり、しかも撮影レンズ１２ａの入射光軸に平行または斜めの方向であるので、把持が安定し、押操作時の手ぶれが生じにくい。
なお、図４に示すように、ボディ１１′の支持凸部１１ａ′および１１ｂ′を撮影レンズユニット１２′の中間部までの短い寸法とし、撮影レンズユニット１２′の上端側を側方に拡幅させて、ほぼＴ字状とし、支持凸部１１ａ′および１１ｂ′の延長面を形成するようにしてもよい。このようにすると、撮影レンズユニット部１２′の内部容量を撮影レンズユニット１２に比して大きくとることが可能となる。
【００３２】
図５〜図１１は、本発明の第３の実施の形態に係るカメラの構成を示している。図５は、カメラを正面、つまり被写体側から見た斜視図であり、図６は、その右側面部であり、図７〜図１１は、背面側から見た種々の動作状態における斜視図である。
図５〜図１１に示すカメラは、ボディ２１、撮影レンズユニット２２、液晶ディスプレイ２３、操作ダイヤル２４、レリーズボタン２５、操作ボタン２６およびストロボ発光部２７を備えている。液晶ディスプレイ２３、操作ダイヤル２４、レリーズボタン２５および操作ボタン２６については、図１の液晶ディスプレイ３、操作ダイヤル４、レリーズボタン５および操作ボタン６、または図２および図３の液晶ディスプレイ１３、操作ダイヤル１４、レリーズボタン１５および操作ボタン１６とおおむね同様の構成を有している。
ボディ２１は、扁平で且つ細長い形状の直方体をなし、各縁部および角部を曲面としている。このボディ２１に、各構成要素が組み込まれあるいは収納されている。さらに、ボディ２１は、長手方向についての一端部に設けた２軸回動支持機構２１ａを介して撮影レンズユニット２２を支持している。２軸回動支持機構２１ａは、ボディ２１の長手方向に対して直交する第１の回動軸線と該第１の回動軸線に対して直交する第２の回動軸線を有している。
【００３３】
撮影レンズ部としての撮影レンズユニット２２は、直方体形状をなし、前記２軸回動支持機構２１ａを解して前記第１および第２の回動軸線に対して回動自在として、ボディ２１に支持されている。撮影レンズユニット２２は、被写体を撮影するための撮影レンズ２２ａを収納し、後述する収納状態においてボディ２１の一方の扁平面に対応する撮影レンズユニット２２の一方の面に対物入射面を覗かせている。前記第１の回動軸線は、撮影レンズユニット２２の少なくとも９０°の起倒回動の回動軸線であり、前記第２の回動軸線は、前記第１の回動軸線上での撮影レンズユニット２２の少なくとも１８０°の回動を許容する回動軸線である。
この場合、２軸回動支持機構２１ａは、前記第１の回動軸線を、ボディ２１の前記一端部の撮影レンズユニット２２の他方の面およびそれに対応するボディ２１の他方の扁平面に近い側、すなわち背面側、の縁部に配置している（図６参照）。２軸回動支持機構２１ａの第２の回動軸線は、撮影レンズユニット２２が前記第１の回動軸線上で回動するように配置構成されている。
【００３４】
図５および図６は、撮影レンズユニット２２の周囲面がボディ２１の周囲面の延長面を形成するように配置した収納状態を示しており、この状態で、ボディ２１および撮影レンズユニット２２が全体として、扁平で且つ細長い形状の直方体状を呈するように形成されている。この状態は、図１の構成と同様の状態であるので、このままで撮影を行なうこともできる。
図７〜図１１は、撮影レンズユニット２２を前記２軸回動支持機構２１ａにより適宜回動させた撮影状態を示している。図７は、図５の状態から撮影レンズユニット２２を、第１の回動軸線により、ボディ２１に対して背面側に９０°回動させた状態を示しており、図８は、図５の状態から撮影レンズユニット２２を、第２の回動軸線により、ボディ２１に対して９０°回動させた状態を示しており、図９は、図５の状態から撮影レンズユニット２２を、第２の回動軸線により、ボディ２１に対して１８０°回動させた状態を示している。図１０は、図９の状態から撮影レンズユニット２２を、第１の回動軸線により、ボディ２１に背面側に対して適宜角度回動させた状態を示しており、図１１は、図１０の状態から撮影レンズユニット２２を、第２の回動軸線により、第１の回動軸線に対して適宜角度回動させた状態を示している。
【００３５】
図７の状態は、例えばボディ２１をほぼ水平に構えた状態で前方の被写体を撮影する撮影状態であり、図８の状態は、例えばボディ２１をほぼ水平に構えた状態で側方の被写体を撮影する撮影状態である。図９の状態は、例えばボディ２１をほぼ垂直に構えた状態で撮影者自身または撮影者の背後の被写体を撮影する撮影状態、またはボディ２１をほぼ水平に構えた状態で上方の被写体を撮影する撮影状態である。図１０の状態は、例えばボディ２１をほぼ水平に構えた状態で撮影者自身または撮影者の背後の被写体を撮影する撮影状態である。図１１の状態は、例えばボディ２１をほぼ水平に構えた状態で撮影者自身およびその近傍の被写体を撮影する撮影状態である。
液晶ディスプレイ２３は、ボディ２１の他方の扁平面の長手方向についての前記一端部寄り、すなわち２軸回動支持機構２１ａに近い位置に表示画面を配置しており、撮影中の画像、撮影後の画像、各種操作情報、および各種状態情報等を表示する。
【００３６】
操作ダイヤル２４は、この場合、ボディ２１の前記他方の扁平面の長手方向についての他端部に設けられ、各種モード設定等のために用いる。撮影操作のためのレリーズボタン２５は、ボディ２１の前記他方の扁平面の長手方向についての中間部近傍の適宜個所で、且つボディ１１の幅方向についてのほぼ中央部またはその近傍に設けられる。図６〜図１１の場合、レリーズボタン２５は、液晶ディスプレイ２３と操作ダイヤル２４との中間で且つ幅方向のほぼ中央に配置されている。このレリーズボタン２５も、２段動作とし、１段目の操作で、測光動作の他、オートフォーカス動作、つまり被写体距離の測距を行ない、２段目の操作で、被写体画像の撮影を行なうようにしてもよい。
操作ボタン２６は、複数のボタンからなり、このカメラの撮影操作、画像鑑賞、その他のための各種操作に用いる。ストロボ発光部２７は、被写体光量が不足する際などに被写体を照射するためのもので、撮影レンズユニット２２の撮影レンズ２２ａの対物入射面の近傍、この場合図５における左側方に設けられている。
【００３７】
このようにしても、レリーズボタン２５の操作方向は、把持した向きに対して前後方向であるので、把持が安定し、押操作時の手ぶれが生じにくい。また、このカメラで、俯瞰撮影を行なう際には、図１２に示すように長手方向を水平として構えるとともに、図５および図６に示す収納状態から、撮影レンズユニット２２を第２の回動軸線について適宜角度回動させて俯角を持たせれば、液晶ディスプレイ２３による電子ファインダを見ながら適正な俯瞰撮影を容易に行なうことができる。
なお、図５〜図１２においては、２軸回動支持機構２１ａは、前記第１の回動軸線を、ボディ２１の前記一端部の撮影レンズユニット２２の他方の面およびそれに対応するボディ２１の他方の扁平面に近い側（背面側）の縁部に配置させるものとしたが、このようにすると、ボディ２１、２軸回動支持機構２１ａおよび撮影レンズユニット２２の構成および形態によっては、第１の回動軸線による特定方向についての回動角度に制限を受けるおそれがある。そこで、第１の回動軸線を、撮影レンズユニット２２の前記一方の面およびそれに対応するボディ２１の前記一方の扁平面に近い側の縁部に配置させるようにして、回動方向の制限を異ならせるようにしても良い。
【００３８】
さらに、図１３に示すように、ボディ２１′、２軸回動支持機構２１ａ′および撮影レンズユニット２２′を配置構成し、第１の回動軸線を厚み方向についてのほぼ中央部に位置させるようにして、前後方向の回動角度に対する制限を低減するようにしても良い。さらに、２軸回動支持機構２１ａまたは２１ａ′に代えて、あらゆる方向への自在な回動を可能とするボール軸受け等のいわゆるユニバーサルジョイントを用いるようにしても良い。
また、以上においては、本発明を電子カメラに適用した実施の形態について説明したが、ボディ１、１１、２１等の内部に携帯電話、通信端末、インターネット端末等の機能を組み込んで、電子カメラ機能付きの携帯端末装置として構成しても良く、銀塩フィルムを用いる銀塩カメラに上述と同様の構成を適用しても良い。
【００３９】
【発明の効果】
以上述べたように、本発明によれば、携帯に適し且つ操作ダイヤルおよびレリーズの操作が容易で特に、電子ファインダ使用時の撮影操作が容易で、撮影時に手ぶれが生じにくいカメラおよび携帯端末装置を提供することができる。
すなわち、本発明の請求項１のカメラによれば、扁平で且つ細長い形状を有するボディと、
前記ボディの長手方向の一端部近傍で且つその扁平面にほぼ垂直な入射光軸を有する対物面を前記扁平面の一方に覗かせて収納されてなり、被写体像を撮影するための撮影レンズと、
前記ボディにおける前記扁平面の他方の、前記撮影レンズの対物面の背面側に、前記長手方向の中間部に配設され、電子ファインダや操作情報の表示に用いる表示画面と、
前記ボディにおける前記表示画面が配設されている前記扁平面側の前記表示画面から他端部近傍にかけての範囲内で且つ前記扁平の幅方向についてのほぼ中央部に配設され、押操作により前記被写体像の撮影動作を行なわせるレリーズボタンと、
前記ボディにおける前記レリーズボタンが配設されている前記扁平面側の前記レリーズボタンから他端部近傍にかけての範囲内で且つ前記扁平の幅方向についてのほぼ中央部に配設され、各種モード設定のために用いる回転により操作される操作ダイヤルと、
を具備としたから、携帯時に嵩張らず、衣服のポケットやバッグ等への収納性が良くてしかも撮影時の構え方および向き等にかかわらず、把持性に優れ、特に操作ダイヤルとレリーズ操作が容易で手ぶれが生じにくく、且つ電子ファインダ使用時の撮影操作が容易となる。
【００４０】
本発明の請求項２のカメラによれば、扁平で且つ細長い形状を有するボディと、
前記ボディの長手方向の一端部近傍にほぼ連続して配置され、その扁平面にほぼ垂直な入射光軸を有する対物面を該扁平面の一方に覗かせて被写体像を撮影するための撮影レンズを収納してなり、前記長手方向にほぼ直交し、且つ前記扁平面にほぼ平行な回動軸線に対して所定角度範囲回動可能に設けられた撮影レンズ部と、
前記ボディにおける前記扁平面の他方の、前記撮影レンズの対物面の背面側に、前記長手方向の一端部近傍から中間部にかけての範囲内で配設され、電子ファインダや操作情報の表示に用いる表示画面と、
前記ボディにおける前記表示画面が配設されている前記扁平面側の前記表示画面から他端部近傍にかけての範囲内で且つ前記扁平の幅方向についてのほぼ中央部に配設され、押操作により前記被写体像の撮影動作を行なわせるレリーズボタンと、
前記ボディにおける前記レリーズボタンが配設されている前記扁平面側の前記レリーズボタンから他端部近傍にかけての範囲内で且つ前記扁平の幅方向についてのほぼ中央部に配設され、各種モード設定のために用いる回転により操作される操作ダイヤルと、
を具備することにより、携帯時に嵩張らず、衣服のポケットやバッグ等への収納性が良くてしかも撮影時の構え方および向き等にかかわらず、操作ダイヤルとレリーズの操作が容易で、電子ファインダ使用時の撮影操作が容易で、特に、撮影方向の柔軟性および把持性に優れ、撮影操作が容易となる。
本発明の請求項３のカメラによれば、前記撮影レンズ部が、前記回動軸線を該撮影レンズ部のほぼ中央部を通るように位置させることにより、特に、撮影レンズ部の前後方向の回動制限を少なくし、且つ撮影時に嵩張らず、撮影操作が容易となる。
本発明の請求項４のカメラによれば、前記撮影レンズ部が、前記回動軸線を該撮影レンズ部の前記ボディ側縁部に位置させることにより、特に、撮影方向の柔軟性が向上し、撮影操作が容易となる。
【００４１】
本発明の請求項５のカメラによれば、前記撮影レンズ部が、前記回動軸線に直交するさらなる回動軸線に対してさらに回動可能とすることにより、特に、撮影レンズ部が３次元的に回動可能となり、撮影方向の柔軟性にさらに優れ、撮影操作が容易となる。
本発明の請求項６のカメラによれば、前記撮影レンズ部が、前記回動軸線を前記ボディの前記扁平面の一方側の縁部に位置させることにより、特に、撮影方向、例えば、仰角方向の柔軟性が向上し、撮影方向の変更操作および撮影操作が容易となる。
本発明の請求項７のカメラによれば、前記撮影レンズ部が、前記回動軸線を前記ボディの前記扁平面の他方側の縁部に位置させることにより、特に、撮影方向、例えば、俯角方向の柔軟性が他の一部について向上し、撮影方向の変更操作および撮影操作が容易となる。
本発明の請求項８のカメラによれば、前記撮影レンズ部が、前記さらなる回動軸線を前記回動軸線上のほぼ中央部にて直交すべく配置することにより、特に、撮影方向の柔軟性がさらに向上し、撮影方向の変更操作および撮影操作が容易となる。
【００４２】
本発明の請求項９の携帯端末装置によれば、扁平で且つ細長い形状を有するボディと、
前記ボディの長手方向の一端部近傍で且つその扁平面にほぼ垂直な入射光軸を有する対物面を前記扁平面の一方に覗かせて収納されてなり、被写体像を撮影するための撮影レンズと、
前記ボディにおける前記扁平面の他方の、前記撮影レンズの対物面の背面側に、前記長手方向の中間部に配設され、電子ファインダや操作情報の表示に用いる表示画面と、
前記ボディにおける前記表示画面が配設されている前記扁平面側の前記表示画面から他端部近傍にかけての範囲内で且つ前記扁平の幅方向についてのほぼ中央部に配設され、押操作により前記被写体像の撮影動作を行なわせるレリーズボタンと、
前記ボディにおける前記レリーズボタンが配設されている前記扁平面側の前記レリーズボタンから他端部近傍にかけての範囲内で且つ前記扁平の幅方向についてのほぼ中央部に配設され、各種モード設定のために用いる回転により操作される操作ダイヤルと、
を具備することにより、携帯時に嵩張らず、衣服のポケットやバッグ等への収納性が良くて、しかもカメラ撮影時の構え方および向き等にかかわらず、手ぶれが生じにくく、且つ電子ファインダ使用時の撮影操作が容易となる。
【００４３】
本発明の請求項１０の携帯端末装置によれば、
扁平で且つ細長い形状を有するボディと、
前記ボディの長手方向の一端部近傍にほぼ連続して配置され、その扁平面にほぼ垂直な入射光軸を有する対物面を該扁平面の一方に覗かせて被写体像を撮影するための撮影レンズを収納してなり、前記長手方向にほぼ直交し、且つ前記扁平面にほぼ平行な回動軸線に対して所定角度範囲回動可能に設けられた撮影レンズ部と、
前記ボディにおける前記扁平面の他方の、前記撮影レンズの対物面の背面側に、前記長手方向の一端部近傍から中間部にかけての範囲内で配設され、電子ファインダや操作情報の表示に用いる表示画面と、
前記ボディにおける前記表示画面が配設されている前記扁平面側の前記表示画面から他端部近傍にかけての範囲内で且つ前記扁平の幅方向についてのほぼ中央部に配設され、押操作により前記被写体像の撮影動作を行なわせるレリーズボタンと、
前記ボディにおける前記レリーズボタンが配設されている前記扁平面側の前記レリーズボタンから他端部近傍にかけての範囲内で且つ前記扁平の幅方向についてのほぼ中央部に配設され、各種モード設定のために用いる回転により操作される操作ダイヤルと、
を具備することにより、携帯時に嵩張らず、衣服のポケットやバッグ等への収納性が良くてしかも撮影時の構え方および向き等にかかわらず、操作ダイヤルとレリーズ操作が容易で、電子ファインダ使用時の撮影操作が容易で、特に、撮影方向の柔軟性および把持性に優れ、撮影操作が容易となる。
【００４４】
本発明の請求項１１の携帯端末装置によれば、前記撮影レンズ部が、前記回動軸線を該撮影レンズ部のほぼ中央部を通るように位置させることにより、撮影レンズ部の前後方向の回動制限を少なくし、且つ撮影時に 嵩張らず、撮影操作が容易となる。
本発明の請求項１２の携帯端末装置によれば、前記撮影レンズ部が、前記回動軸線を該撮影レンズ部の前記ボディ側縁部に位置させることにより、特に、撮影方向の柔軟性が向上し、撮影操作が容易となる。
本発明の請求項１３の携帯端末装置によれば、前記撮影レンズ部が、前記回動軸線に直交するさらなる回動軸線に対してさらに回動可能とすることにより、特に、撮影レンズ部が３次元的に回動可能となり、撮影方向の柔軟性にさらに優れ、撮影操作が容易となる。
本発明の請求項１４の携帯端末装置によれば、前記撮影レンズ部が、前記回動軸線を前記ボディの前記扁平面の一方側の縁部に位置させることにより、特に、撮影方向、例えば仰角方向の柔軟性が向上し、撮影方向の変更操作および撮影操作が容易となる。
【００４５】
本発明の請求項１５の携帯端末装置によれば、前記撮影レンズ部が、前記回動軸線を前記ボディの前記扁平面の他方側の縁部に位置させることにより、特に、撮影方向、例えば俯角方向の柔軟性が向上し、撮影方向の変更操作および撮影操作が容易となる。
本発明の請求項１６の携帯端末装置によれば、前記撮影レンズ部が、前記さらなる回動軸線を前記回動軸線上のほぼ中央部にて直交すべく配置することにより、特に、撮影方向の柔軟性がさらに向上し、撮影方向の変更操作および撮影操作が容易となる。
【図面の簡単な説明】
【図１】本発明の第１の実施の形態に係るカメラの構成を示す（ａ）正面図、（ｂ）左側面図および（ｃ）背面図である。
【図２】本発明の第２の実施の形態に係るカメラの構成を示す正面側から見た斜視図である。
【図３】図２のカメラの一作動形態を示す背面側から見た斜視図である。
【図４】図２のカメラの変形例を示す要部の背面図である。
【図５】本発明の第３の実施の形態に係るカメラの構成を示す正面側から見た斜視図である。
【図６】図５のカメラの回動軸線位置を示す側面図である。
【図７】図５のカメラの一作動形態を示す背面側から見た斜視図である。
【図８】図５のカメラの他の作動形態を示す背面側から見た斜視図である。
【図９】図５のカメラのその他の作動形態を示す背面側から見た斜視図である。
【図１０】図５のカメラのさらに他の作動形態を示す背面側から見た斜視図である。
【図１１】図５のカメラのさらにその他の作動形態を示す背面側から見た斜視図である。
【図１２】図５のカメラによる俯瞰撮影（俯角方向の撮影）の様子を示す斜視図である。
【図１３】図５のカメラの変形例を示す要部の斜視図である。
【図１４】従来の携帯電話機能付き電子カメラの構成を示す斜視図である。
【図１５】図１４のカメラの一作動形態を示す斜視図である。
【符号の説明】
１，１１，１１′，２１，２１′  ボディ
２，１２ａ，２２ａ  撮影レンズ
３，１３，２３  液晶ディスプレイ（ＬＣＤ）
４，１４，２４  操作ダイヤル
５，１５，２５  レリーズボタン
６，１６，２６  操作ボタン
７，１７，２７  ストロボ発光部
８  電源スイッチ
９  マイクロフォン
１１ａ，１１ｂ，１１ａ′，１１ｂ′  支持凸部
１２，１２′，２２，２２′  撮影レンズユニット（撮影レンズ部）
２１ａ，２１ａ′  ２軸回動支持機構
【図１】
0004001314.tif 000002
【図２】
0004001314.tif 000003
【図３】
0004001314.tif 000004
【図４】
0004001314.tif 000005
【図５】
0004001314.tif 000006
【図６】
0004001314.tif 000007
【図７】
0004001314.tif 000008
【図８】
0004001314.tif 000009
【図９】
0004001314.tif 000010
【図１０】
0004001314.tif 000011
【図１１】
0004001314.tif 000012
【図１２】
0004001314.tif 000013
【図１３】
0004001314.tif 000014
【図１４】
0004001314.tif 000015
【図１５】
0004001314.tif 000016